(57)【要約】【課題】  一つのグラスの中の飲み物を二人で同時に飲むことができるユニ−クなストロ−が見当たらない。茶目ッ気のあるカップルや母と子などで利用できる物が好ましく喫茶店やファミリ−レストランなどでの喫茶や食事が更に楽しめるペアストロ−を提供する。【解決手段】  プラスチック（又は強化ビニ−ル）にて形成し、ペアにて両端よりストロ−で吸引することにより、グラスの中の飲み物がハ−ト模様の部分を通ってお互いの口の中に運ばれるので、その過程を楽しみながら、会話や喫茶・食事が弾むという良好な雰囲気が醸し出され、洒落た演出の小道具となる。【選択図】図１
0003110744.tif 000002
【実用新案登録請求の範囲】
【請求項１】
２本の透明な細管が、
二股に分岐した飲み口部分と、並列配置した並列部分と、任意の模様を描くように湾曲
した湾曲部分とを備え、互いに固定されていることを特徴とするペアストロー。
【請求項２】
請求項１に記載のペアストローにおいて、
前記並列部分と前記湾曲部分とを交互に設けたことを特徴とするペアストロー。
【請求項３】
請求項１に記載のペアストローにおいて、
前記湾曲部分が正面からみてハート模様となっていることを特徴とするペアストロー。
【請求項４】
請求項１に記載のペアストローにおいて、
前記２本の細管は、板状の補助具に設けられた２条の溝に嵌入され、接着剤を介して固
定されていることを特徴とするペアストロー。
【請求項５】
請求項４に記載のペアストローにおいて、
前記補助具は、正面からみて任意の模様となっていることを特徴とするペアストロー。
【考案の詳細な説明】
【技術分野】
【０００１】
本考案は、  喫茶店やレストラン（ファミリ−レストランを含む）、家庭内でも使用で
き、一つの容器に入っている飲み物を二人で同時に飲むことが可能なペアストロ−に関す
るものである。
【背景技術】
【０００２】
従来から一つのコップに入っている飲み物を共有して二人で同時に飲めるペアストロ−
は知られている（例えば、特許文献１参照）。
【特許文献１】実用新案登録第３０９６０３０号公報
【考案の開示】
【考案が解決しようとする課題】
【０００３】
ところで、上記の技術には、次のような解決すべき課題があった。
従来のペアストローは、１本の真っ直ぐな管体を、飲み口付近で二股に分岐したもので
、構成が単純であるため、もう少し遊び感覚を共有できるものが望まれる。
本考案は、以上の点に着目してなされたもので、仲の良いカップルや友達が、半ば遊び
感覚で一つの飲み物を共有して飲める楽しいストロ−を提供することを目的とする。
【課題を解決するための手段】
【０００４】
本考案の各実施例においては、それぞれ次のような構成により上記の課題を解決する。
〈構成１〉
２本の透明な細管が、二股に分岐した飲み口部分と、並列配置した並列部分と、任意の
模様を描くように湾曲した湾曲部分とを備え、互いに固定されていることを特徴とするペ
アストロー。
【０００５】
２本の透明な細管は、プラスチック、ガラス等の無色、透明な材料で形成されるが、透
明度を損なわない程度に若干着色されていてもかまわない。湾曲部分が描く模様としては
、使用時に、特に着色された飲み物が通過したときに良好な雰囲気を醸し出す模様が好ま
しい。
【０００６】
〈構成２〉
構成１に記載のペアストローにおいて、上記並列部分と上記湾曲部分とを交互に設けた
ことを特徴とするペアストロー。
【０００７】
湾曲部分が複数箇所にあった方が楽しい雰囲気を、より盛り上げる効果がある。
【０００８】
〈構成３〉
構成１に記載のペアストローにおいて、上記湾曲部分が正面からみてハート模様となっ
ていることを特徴とするペアストロー。
【０００９】
一層の親密感が醸成される。
【００１０】
〈構成４〉
構成１に記載のペアストローにおいて、上記２本の細管は、板状の補助具に設けられた
２条の溝に嵌入され、接着剤を介して固定されていることを特徴とするペアストロー。
【００１１】
板状の補助具は、上下方向に２本の細管を嵌入しうる溝が設けられたものを１枚、ある
いは２枚一組を使用して２本の細管をしっかり固定する。なお、板状の補助具は、２本の
細管の全長に亘って数箇所に取付けられる。
【００１２】
〈構成５〉
構成４に記載のペアストローにおいて、上記補助具は、正面からみて任意の模様となっ
ていることを特徴とするペアストロー。
【００１３】
任意の模様としては、例えば、ハート模様がある。
【考案の効果】
【００１４】
それぞれのストロ−が独立しており、双方から吸い上げられることによって、中間に施
したハ−ト模様を迂回して飲み物が通過するので、その過程をも大いに楽しめる。又他の
人から見ても、一眼で仲睦まじい良好なカップルとしの印象が高まる。一方、友人同士の
場合でも仲のよさが強調できるものとなる。
【００１５】
一般家庭内でも、夫婦や親子間等で同様に利用できる。
【００１６】
二人で半分ずつは費用の上でも経済的な効果を生む。
【００１７】
食事や喫茶の時間の楽しい演出となり、良き雰囲気づくりの小道具となる。
【００１８】
タイミングの合わせ方や吸引の強弱により、ハ−ト模様の出来映えに影響が及ぶので、
遊び感覚といえども、より一層の親密感が醸成される。
【考案を実施するための最良の形態】
【００１９】
本考案のペアストローは、各々一人前ずつは欲しくないが、半分なら飲んでみたいと思
われるような時には最適なものになる。
各人別々の物を注文してみたが、相手の注文したものを見て、ちょっと味見がしたいよ
うな時、話し合いの上でお店の人にこのストロ−を注文して使用する。
以下、本考案の実施の形態を実施例に基づいて説明する。
【実施例１】
【００２０】
図１〜図４は、本考案のペアストローを示す説明図である。
これらの図において、本考案のペアストローは、２本の透明な細管（ペアストロー本体
１）を、二股に分岐した飲み口部分１Ｄと、並列配置した並列部分１Ｆと、任意の模様を
描くように湾曲した湾曲部分１Ａ、１Ｂ、１Ｃとを備えている。
【００２１】
ペアストロー本体１は、プラスチック（又は強化ビニ−ル）にて形成され、無色・透明
とし、飲み物の通るのが透視確認できるものとする。
【００２２】
２本のペアストロー本体１の下端は、台座２により支持されている。台座２については
、安定性確保のため多少重みのある金属を加工し、そのうえ錆のこないステンレスを使用
する。
【００２３】
湾曲部分１Ａ、１Ｂ、１Ｃは、正面からみてハート模様となっている。ハ−ト模様の接
点はそれぞれ形を整えたうえ、接着剤で固定されている。
【００２４】
上下３ヶ所の湾曲部分１Ａ、１Ｂ、１Ｃの裏側に、補助具３Ａ、３Ｂ、３Ｃが取付けら
れて２本のペアストロー本体１が接着剤にて互いに固定されている。すなわち、補助具３
Ａ、３Ｂ、３Ｃは、図４に示すようにペアストロ−本体１を差し込むための２条の溝６の
ある小型のハ−トマ−ク状の板体を、ゴム材にて形成したもので、２本のペアストロ−本
体１を、それぞれ２条の溝６に挟んで接着剤にて固定させる。
【００２５】
補助具３Ａ、３Ｂ、３Ｃであるハ−トマ−ク状の板体には淡いピンクの着色を施す。
【００２６】
最上部両端より通常の吸い込み用ストロ−４Ａ、４Ｂを装着して吸引する。
【図面の簡単な説明】
【００２７】
【図１】本考案によるペアストロ−の実施の形態を示す説明図。
【図２】側面図。
【図３】補助具の設置場所を説明するための斜視図。
【図４】補助具の拡大斜視図。
【符号の説明】
【００２８】
１  ペアストロ−本体
２ 台座
３Ａ、３Ｂ、３Ｃ  補助具
４Ａ、４Ｂ  吸い込み用ストロ−
５ グラス
６  溝
【図１】
0003110744.tif 000003
【図２】
0003110744.tif 000004
【図３】
0003110744.tif 000005
【図４】
0003110744.tif 000006